(57)【要約】【課題】  天井等の換気個所に体裁良くかつ簡単に取付けることが出来、かつ火炎時に換気通路を完全に閉鎖することを防止可能とし、しかも安価に大量生産することが出来る通気金物を目的とする。【解決手段】  水平上板２の両端に夫々側板３を連設すると共に、この側板３の下端外方に鍔板４を水平に連設した断面がハット形状の金物である。そして前記側板３の中央部３ａを外方にく状に彎曲させて側板３を上傾斜面３ｂと下傾斜面３ｃに分け、かつ上傾斜面３ｂに複数の換気用スリット穴５を長手方向に並列して穿設した構造である。【選択図】      図１
2005256444.tif 000002
【特許請求の範囲】
【請求項１】
水平上板の左右両端に夫々側板を連設垂下し、かつ側板の下端外方に鍔板を水平に設けた断面が略ハット形状の天井用通気金物に於て、前記両側板のほぼ中央部を夫々外方にく状に彎曲させて該側板に上傾斜面と下傾斜面を形成し、かつ該上傾斜面に複数の換気用スリット穴を長手方向に並列して設けたことを特徴とした天井用通気金物。
【請求項２】
前記両側板と鍔板との連設部に起立部を起立突設して設け、かつ熱によって膨張する不燃性体積膨張材を前記両側板の下傾斜面の内面に当接すると共に、該不燃性体積膨張材の両端縁を夫々前記起立部と側板の彎曲部とで挟持して構成したことを特徴とした請求項１の天井用通気金物。
【請求項３】
前記起立部の頭部を側板の方向に傾斜させて構成したことを特徴とした請求項２の天井用通気金物。
【発明の詳細な説明】
【技術分野】
【０００１】
本発明は、軒天井等の天井の天井裏に通ずる換気通路内に収納して使用される天井用通気金物に係り、特に前記換気通路内に体裁良くかつ簡単に設置することが出来、しかも不燃性体積膨張材を内部に設けることが出来る天井用通気金物に関するものである。
【背景技術】
【０００２】
この種の天井用通気金物としては、例えば後述の特許文献１が知られている。この特許文献１の発明は、水平上板の左右両端に側板を垂下した断面が略ハット形をした金物の該水平上板に複数の換気用スリット穴を設けた構造の金物である。そしてこの金物を防火用換気金物として使用する場合には、前記金物の両側板の内面に不燃性体積膨張材を貼着固定して使用していた。
【０００３】
また、後述の特許文献２に示す如く、天井の換気通路に挿入する方式の軒天井換気用縁材も知られている。この発明は、Ｕ状金物の所定位置に多くの膨張部材を取付けて防火用金物とすると共に、この金物の外側に軒天井板を嵌入し得る溝を形成し、この溝の中に軒天井板の端縁を挿入することによって該金物を軒天井に取付けるように構成していた。また、軒天井板の小口面と前記溝奥に形成される隙間にも、膨張材を充填して構成していた。
【０００４】
さらに、後述の特許文献３に示す如く、軒天井と外壁とによって形成される換気通路に嵌入固定して使用される換気金物も知られていた。この換気金物を複数のスリット穴を有する天井面より所定の間隔を保ったほぼ平行な２つの傾斜起立面を垂下し、かつこの起立面の下端外方に夫々水平な見切部を連設した構造の換気金物である。
【０００５】
【特許文献１】特開平８−０２７９４１号公報
【特許文献２】特開２００３−０２７６５２号公報
【特許文献３】特開２００２−１８８２２４号公報
【発明の開示】
【発明が解決しようとする課題】
【０００６】
然るに、前述の特許文献１の発明は、天井の換気用空気通路に挿入したハット形の金物を該換気用空気通路に固定するためには、該金物の両側下端を支持アームで支持し、かつこの支持アームをビスで天井面に取付け固定しなければならず、さらにこのビスを見えなくするために支持アームの外側にカバーを被覆しなければならず、構造が複雑である問題があった。また、金物の内部に不燃性体積膨張材を金物の内面或は支持アームの起立面に貼着固定しなければならない問題もあった。
【０００７】
また、特許文献２に記載された発明は、Ｕ状金物の外側に形成された溝内に天井板の端縁を挿入しなければならないので、天井板とＵ状金物の建込みが困難で作業性が悪い問題があった。かつ、Ｕ状金物内の所定位置に複数の膨張部材を取付ける他に、前記溝と天井板の小口面とに形成される隙間にも膨張部材を充填しなければならず、構成が複雑で膨張部材の使用量も極めて多くなる等の問題もあった。
【０００８】
さらに、特許文献３に記載された発明に於ては、天井面より所定の間隔を保って２つの傾斜起立面をほぼ平行に垂下するので、金物の構造が複雑で製造が困難である問題があった。また、天井面に多数のスリット穴が設けられているので、天井面の側方に水平取付片を延長して形成し、かつこの水平取付片を天井下地にネジ止めして金物を天井下地に取付けた後で、天井板を天井面に張設しなければならない等の問題があった。
【０００９】
本発明は、前述の特許文献１〜３に記載された従来技術の多くの問題点に鑑み開発された全く新規な発明であって、特に、天井の換気通路に嵌入されたハット形状水平上板を天井下地材に直接取付けられる構造とし、かつ両側板の下端外方に設けた鍔板で天井の換気通路の外周及び天井板の小口面を被覆することが出来、さらに両側板のほぼ中央部を夫々外方にく状に彎曲させて上傾斜面と下傾斜面とを形成し、該上傾斜面に複数の換気用スリット穴を並列して設けることによって、金物の上方両側より天井裏に換気することが出来るようにした技術を提供するものである。
【課題を解決するための手段】
【００１０】
本発明に係る天井用通気金物は、前述の従来の問題を根本的に改善した技術であって、その第１発明の要旨は、水平上板の左右両端に夫々側板を連設垂下し、かつ側板の下端外方に鍔板を水平に設けた断面が略ハット形状の天井用通気金物に於て、前記両側板のほぼ中央部を夫々外方にく状に彎曲させて該側板に上傾斜面と下傾斜面を形成し、かつ該上傾斜面に複数の換気用スリット穴を長手方向に並列して設けたことを特徴とした天井用通気金物である。
【００１１】
前述の本願の第１発明に於ては、略ハット形をした金物の両側板のほぼ中央部をく状に彎曲させて上傾斜面と下傾斜面とを形成し、かつ上傾斜面に換気用スリット穴を設けて構成したので、金物の上方両側より換気をすることが出来る。
【００１２】
水平上板には換気用スリット穴を設けないので、金物の換気通路に挿入した際に、水平上板を天井下地材に直接当接して取付け固定することが出来る。また、前記両側板の下端外方には鍔板が設けられているので、金物を天井の換気通路に挿入した際に、該鍔板によって天井板の小口面及び換気通路の外周部を自動的に被覆することが出来る。
【００１３】
本発明の天井用通気金物の第２発明の要旨は、前記両側板と鍔板との連設部に起立部を起立突設して設け、かつ熱によって膨張する不燃性体積膨張材を前記両側板の下傾斜面の内面に当接すると共に、該不燃性体積膨張材の両端縁を夫々前記起立部と側板の彎曲部とで挟持して構成したことを特徴とした第１発明の天井用通気金物である。
【００１４】
前述の第２発明に於ては、金物の両側板と鍔板との連設部に起立部を設けたので、両側板の下傾斜面内面に当接した不燃性体積膨張材をこの起立部と側板のく状彎曲部との間に挟持して自動的に取付固定することが出来る。
【００１５】
本発明の金物に於ては、両側板の上傾斜面に換気用スリット穴が設けられているので、火災時に発泡した不燃性体積膨張材を該換気用スリット穴を介して金物の上部外方に膨出させることが出来、これによって金物の上部と天井板の端部小口面に形成される隙間を膨張した不燃性体積膨張材によって完全に閉鎖することが出来る。従って、火災時に金物が変形したり、或は金物の外側面と天井板の端部小口面の間を火炎や熱風が通過することを完全に防止することが出来る。
【００１６】
本発明の天井用通気金物の第３発明の要旨は、前記起立部の頭部を側板の方向に傾斜させて構成したことを特徴とした第２発明の天井用通気金物である。
【００１７】
前述の第３発明に於いては、金物の両側板と鍔板との連設部に突設された起立部の頭部を側板の方向に傾斜させたので、下傾斜面内面に当接された不燃性体積膨張材の端部を該起立部によってより確実に保持することが出来る。
【発明の効果】
【００１８】
本発明に係る天井用通気金物は、前述の構造と作用とを有するので、軒天井等の天井に設けられた換気通路内にそのままの状態で簡単に挿入すると共に、該金物の水平上板を天井下地材に直接当接してネジ等で取付固定することが出来る。かつ金物の両側板の下端に連設した鍔板によって換気通路の外周部及び天井板の小口面を体裁良く被覆することが出来る。
【００１９】
従って、金物を天井の換気通路に取付けるに当って、金物の他に支持アーム、カバー或は金物の上部に金物を天井下地材に取付ける為の水平取付片、または天井板の端部小口面を挿入し得る溝を金物の外側に設けることを全く不要とすることが出来る。
【００２０】
また、金物の側板と鍔板との連設部に起立部を突設した場合には、下傾斜面内面に当接した不燃性体積膨張材をこの起立部と側板の彎曲部とによって自動的に挟持固定することが出来る。
【００２１】
さらに、金物内の不燃性体積膨張材を膨張させた場合には、側板の上傾斜面に設けた換気用スリット穴より不燃性体積膨張材を膨張させ、これによって金物と天井板の小口面との隙間を完全に閉鎖し、仮に金物が熱によって変形した場合にも膨張した不燃性体積膨張材が隙間を閉鎖しているので、前記隙間を介して火炎や熱風が流出することを完全に防止することが出来る。
【発明を実施するための最良の形態】
【００２２】
図により本発明の一実施例を具体的に説明すると、図１は本発明に係る天井用通気金物の斜視図、図２は図１の天井用通気金物の縦断面図、図３は図１の天井用通気金物の取付位置を示す説明図、図４は天井用通気金物を軒天井に組込んだ状態の説明図、図５は火炎時に不燃性体積膨張材が発泡した状態を示す説明図である。
【００２３】
図１及び図２に於て、１は本発明に係る天井用通気金物で、後述のように軒天井等の天井の換気通路に嵌入される通気金物である。この天井用通気金物１は、全体的に水平上板２、この水平上板２の左右両端に連設垂下した側板３、該側板３の下端外方に夫々水平に連設した鍔板４によって、断面がほぼハット形状に構成されている。該鍔板４の先端縁にはカール部４ａが設けられている。
【００２４】
前記両側の側板３は、そのほぼ中央部３ａに於て外方にく状に彎曲されて、該側板３を上傾斜面３ｂと下傾斜面３ｃとに分けている。そしてこの上傾斜面３ｂには、複数の換気用スリット穴５が長手方向に並列して設けられている。前記水平上板２の両端部には取付穴６が設けられている。
【００２５】
前記両側の側板３とこれに連設された鍔板４との連設部には、パネルを折曲げることによって、所定の高さを有する起立部７が天井用通気金物１の内方に起立突設されている。この起立部７の頭部は夫々側板３の方向に傾斜されている。
【００２６】
８は火災時の高熱によって膨張する不燃性体積膨張材であって、前記特許文献１等に於ても使用されており、公知公用の物品である。本発明に於ては、角棒材状の不燃性体積膨張材８が側板３の下傾斜面３ｃの内面に当接されると共に、この不燃性体積膨張材８の両端縁が前記起立部７と側板３の中央部３ａの彎曲部によって挟持固定され、不燃性体積膨張材８は下傾斜面３ｃの内面に安定した状態で自動的に取付けられている。
【００２７】
本発明に係る天井用通気金物の使用に当っては、例えば図３及び図４に示す如く、天井用通気金物１を軒天井９の左右の軒天井板１０の間に設けられた屋根裏に通ずる換気通路１１内に挿入し、天井用通気金物１の水平上板２を軒天井９の野縁等の天井下地１２に当接し、水平上板２の取付穴６に取付ねじ１３を挿通して、該取付ねじ１３を天井下地１２
にネジ込むことによって天井用通気金物１を軒天井９に取付固定することが出来る。図中１４は鼻隠し、１５は鼻隠し下地、１６は外壁材である。
【００２８】
本発明に係る天井用通気金物１は、前述のように、水平上板２に換気用のスリットが設けられていないので、天井用通気金物１を天井下地１２に直接当接し、かつ天井用通気金物１の内側から取付ねじ１３で天井用通気金物１を極めて簡単にかつ体裁良く取付け固定することが出来る。
【００２９】
また、側板３の下端外方には鍔板４が設けられているので、この鍔板４によって換気通路１１の外周部及び軒天井板１０の小口面を自動的に隠すことが出来る。さらに、小屋裏の換気は、天井用通気金物１の上部両側に設けた上傾斜面３ｂの換気用スリット穴５よりスムーズに換気することが出来る。しかも、天井用通気金物１の側板３は夫々その中央部３ａに於てく状に彎曲されて膨出しているので、この部分を両側の軒天井板１０の小口面に確実に当接或は近接することも出来る。
【００３０】
前述のように、天井用通気金物１の内部に不燃性体積膨張材８を取付けた場合には、図５に例示する如く、火炎時には、天井用通気金物１内の不燃性体積膨張材８を火炎或は高温度によって膨張させ、天井用通気金物１の内部及び換気通路１１内を完全に埋めて閉鎖することが出来る。
【００３１】
特に、本発明の天井用通気金物１は、前述の如く、両側の上傾斜面３ｂに換気用スリット穴５を設けたので、天井用通気金物１内に膨張した不燃性体積膨張材８の一部を換気用スリット穴５を介して天井用通気金物１の外方に膨出させ、膨出した不燃性体積膨張材８で換気通路１１を完全に閉鎖することが出来る。従って、天井用通気金物１が熱で仮に変形した場合にも、全く関係なく不燃性体積膨張材８で換気通路１１を閉鎖することが出来る。
【産業上の利用可能性】
【００３２】
本発明に係る天井用通気金物１は、家屋の軒天井のみならず、屋内の天井等の換気個所にも広く使用出来る。また、一般の住宅のみならず、工場、倉庫等の換気個所にも使用可能である。
【図面の簡単な説明】
【００３３】
【図１】本発明に係る天井用通気金物の斜視図である。
【図２】図１の天井用通気金物の縦断面図である。
【図３】図１の天井用通気金物の取付位置を示す説明図である。
【図４】天井用通気金物を軒天井に組込んだ状態の説明図である。
【図５】火炎時に不燃性体積膨張材が発泡した状態を示す説明図である。
【符号の説明】
【００３４】
１      ・・・天井用通気金物
２      ・・・水平上板
３      ・・・側板
３ａ    ・・・中央部
３ｂ    ・・・上傾斜面
３ｃ    ・・・下傾斜面
４      ・・・鍔板
４ａ    ・・・カール部
５      ・・・換気用スリット穴
６      ・・・取付穴
７      ・・・起立部
８      ・・・不燃性体積膨張材
９      ・・・軒天井
１０    ・・・軒天井板
１１    ・・・換気通路
１２    ・・・天井下地
１３    ・・・取付ねじ
１４    ・・・鼻隠し
１５    ・・・鼻隠し下地
１６    ・・・外壁材
【図１】
2005256444.tif 000003
【図２】
2005256444.tif 000004
【図３】
2005256444.tif 000005
【図４】
2005256444.tif 000006
【図５】
2005256444.tif 000007